(57)【要約】【課題】  データ線と電源配線との交差をなくし、データ線の寄生容量を低減する。【解決手段】  ラインヘッド１は、画素回路３２を順次駆動するための選択回路３０、オン／オフのデータ信号を画素回路３２へ供給するデータ線部３１および複数の発光素子を配列した画素回路３２からなる。データ線部３１は、選択回路３０と画素回路３２との間に設けられる。画素回路３２の発光素子３２１は、選択回路３０がゲート線３０６を介して供給する制御信号により選択され、データ線部３１が引き出し線３１３を介して供給するデータ信号に応じて発光／非発光制御される。【選択図】      図１
2006123493.tif 000002
【特許請求の範囲】
【請求項１】
１ラインに配列した複数の発光素子と回路素子とからなり、選択信号とデータ信号とに基づいて前記発光素子を選択発光させる画素回路と、
前記画素回路の一方の側に沿うように隣接配置され、前記画素回路にデータ信号を供給するデータ線と、
前記選択信号を生成する選択回路と、
具備することを特徴とするラインヘッド。
【請求項２】
前記選択回路は、データ線に対して画素回路とは反対側に配置されることを特徴とする請求項１記載のラインヘッド。
【請求項３】
発光素子が有機ＥＬ発光素子であることを特徴とする請求項１または２記載のラインヘッド。
【請求項４】
感光体と、
該感光体を一様に帯電させる帯電手段と、
請求項１〜３いずれかに記載のラインヘッドを備え、前記感光体を露光することにより形成対象画像の静電潜像を前記感光体上に形成する露光手段と、
前記感光体上の静電潜像をトナー像として現像する現像手段と、
前記感光体上のトナー像を転写材に転写させる転写手段と、
前記転写材上のトナー像を定着させる定着手段と
を具備することを特徴とする画像形成装置。
【請求項５】
カラー画像を形成することを特徴とする請求項４記載の画像形成装置。
【発明の詳細な説明】
【技術分野】
【０００１】
本発明は、ラインヘッド及び画像形成装置に関する。
【背景技術】
【０００２】
複写機やプリンタ等、電子写真方式の画像形成装置に組み込まれ、感光体の表面に静電潜像を形成（露光）する装置としてラインヘッドがある。このラインヘッドは、多数の発光素子を基板上に一次元状に配列させ、基板上にパターニングされた配線を介して各発光素子を駆動するものである。このようなラインヘッドの発光素子としては、発光ダイオード（ＬＥＤ）や有機ＥＬ素子等が用いられる。例えば下記の公知文献には、このようなラインヘッドに相当する発光素子アレイや画像形成装置について開示されている。
【特許文献１】特開平１１−２７４５６９号公報
【発明の開示】
【発明が解決しようとする課題】
【０００３】
しかしながら、従来のラインヘッドでは、データ線の配線長が数十ｃｍにも及ぶため、寄生容量が数十ｐＦになる。また、電源配線やグランド配線とデータ線とが交差することにより、データ線の寄生容量が増加し、高速動作が困難になるという問題がある。
【０００４】
本発明は、このような事情を考慮してなされたものであり、その目的は、データ線の寄生容量を低減することができるラインヘッドおよび画像形成装置を提供することにある。
【課題を解決するための手段】
【０００５】
上記目的を達成するために、本発明では、ラインヘッドに係わる第１の手段として、１ラインに配列した複数の発光素子と回路素子とからなり、選択信号とデータ信号とに基づいて前記発光素子を選択発光させる画素回路と、前記画素回路の一方の側に沿うように隣接配置され、前記画素回路にデータ信号を供給するデータ線と、前記選択信号を生成する選択回路と具備する、という解決手段を採用する。この発明によれば、データ線が画素回路に隣接配置されるので、データ線を例えば電源配線やグランド配線のような他の配線と交差させることなく画素回路と接続することができる。したがって、データ線に寄生する静電容量（寄生容量）を低減することができ、データ信号の波形なまりを抑制することができるので、ラインヘッドの高速動作を実現することができる。
【０００６】
ラインヘッドに係わる第２の手段として、上記第１の手段において、前記選択回路は、データ線に対して画素回路とは反対側に配置される、という解決手段を採用する。この発明によれば、選択回路とデータ線とが画素回路に対して同一側に配置されるので、データ信号と選択信号とを効率良く配線して画素回路に供給することができる。
【０００７】
ラインヘッドに係わる第３の手段として、上記第１または第２の手段において、発光素子が有機ＥＬ発光素子である、という解決手段を採用する。この発明によれば、発光素子として有機ＥＬ発光素子を用いたラインヘッドについても、上述した各種の作用・効果を奏することができる。
【０００８】
一方、本発明では、画像形成装置に係わる第１の手段として、感光体と、該感光体を一様に帯電させる帯電手段と、上記第１〜第４いずれかのラインヘッドを備え、前記感光体を露光することにより形成対象画像の静電潜像を前記感光体上に形成する露光手段と、前記感光体上の静電潜像をトナー像として現像する現像手段と、前記感光体上のトナー像を転写材に転写させる転写手段と、前記転写材上のトナー像を定着させる定着手段とを具備する、という解決手段を採用する。この発明によれば、ラインヘッドにおけるデータ線を電源配線と交差させることなく直接発光素子に接続することが可能なので、データ線の寄生容量を低減することができ、高速動作を実現することができる。
【０００９】
画像形成装置に係わる第２の手段として、上記第１の手段において、カラー画像を形成するという解決手段を採用する。このような発明によっても、ラインヘッドにおけるデータ線を電源配線と交差させることなく直接発光素子に接続するので、データ線の寄生容量を低減することができ、高速動作でカラー画像を形成することができる。
【発明を実施するための最良の形態】
【００１０】
以下、本発明の一実施形態によるラインヘッド及び画像形成装置について図面を参照して説明する。
【００１１】
図１は、本実施形態に係わるラインヘッドの略回路構成を示す回路図である。本ラインヘッド１は、選択回路３０、データ線部３１および画素回路３２を主な構成要素としている。選択回路３０は、画素回路３２を順次駆動するためのシフトレジスタ３０３からなり、選択回路用電源配線３０１と選択回路用グランド配線３０２を含む。このシフトレジスタ３０３は、スタートパルス信号線３０４を介して初段に供給されたスタートパルス信号をクロック信号線３０５のクロック信号に同期して後段に順次転送するものであり、各段の出力信号を画素回路３２における発光素子３２１を順次選択するための選択信号としてゲート線３０６を介して画素回路３２へ供給する。
【００１２】
データ線部３１は、発光素子３２１を発光／非発光するためのデータ信号をデータ線３１２に設けられた保護抵抗３１０及び入力バッファ３１１を介して伝送する配線部である。このデータ信号は、上記クロック信号に同期して外部からデータ線３１２に供給され、さらに引き出し線３１３を経由して画素回路３２に供給される。なお、上記データ線３１２には、保護抵抗３１０と入力バッファ３１１との間にＥＳＤ保護素子６０が付加され、先端部にＥＳＤ保護素子６１が付加されている。
【００１３】
画素回路３２は、保持トランジスタＴＦＴ１、駆動トランジスタＴＦＴ２及び発光素子３２１からなり、画素回路用陽極配線３２２と画素回路用陰極配線３２３とを含む。保持トランジスタＴＦＴ１は、ゲート端子が上記ゲート線３０６に、ソース端子が上記引き出し線３１２に、またドレイン端子が駆動トランジスタＴＦＴ２のゲート端子に各々接続されている。一方、駆動トランジスタＴＦＴ２は、ソース端子が電源、つまり画素回路用陽極配線３２２に、ドレイン端子が発光素子３２１のアノード端子に各々接続されている。発光素子３２１は、例えば発光体が有機物で形成された有機ＥＬ発光素子であるが、ＬＥＤであっても良い。発光素子３２１のカソード端子はＧＮＤ、つまり画素回路用陰極配線３２３に接続されている。
【００１４】
このような画素回路３２における発光素子３２１は、シフトレジスタ３０３からゲート線３０６を介して入力される選択信号により選択され、またデータ線３２１及び引き出し線３１２を介して入力されるデータ信号に応じて発光／非発光が制御される。すなわち、シフトレジスタ３０３は、クロック信号に同期してスタートパルス信号を後段に順次転送することにより発光素子３２１を選択する。そして、このようにしてシフトレジスタ３０３によって選択された発光素子３２１は、データ信号の電圧レベル、つまりＬ（ロー）／Ｈ（ハイ）に応じて発光／非発光が制御される。
【００１５】
なお、図１では、１つの発光素子３２１のみを示しているが、実際には、ｎ（例えば５１２０）個の発光素子３２１が基板上に１ライン状態で配置されている。そして、これらｎ個の発光素子３２１は、ｍ（例えば１２８）個毎にブロックを構成しており、シフトレジスタ３０３の各段から出力される選択信号は、このブロックを選択する。
【００１６】
次に、図２は、本ラインヘッド１の回路レイアウトを示す模式図であり、本実施形態の特徴を最も良く表している図面である。なお、この図２では、図１に対応する部分には同一の符号を付けている。
【００１７】
発光素子３２１は、図示するように長方形の基板に対して、その長辺に並行となるように１ラインに配列した発光素子ラインとして設けられている。このような発光素子３２１の下側には、上記駆動トランジスタＴＦＴ２が１ラインに配列した駆動回路ラインとして隣接配置されている。そして、このような駆動トランジスタＴＦＴ２の下側には、発光素子３２１つまり駆動トランジスタＴＦＴ２に沿って画素回路用陽極配線３２２が設けられ、この画素回路用陽極配線３２２の下側には、画素回路用陰極配線３２３が同じく発光素子３２１に沿って設けられている。
【００１８】
また、この他にグランドコンタクト部３０２ａと背面電極３０２ｂが設けられている。背面電極３０２ｂは、基板の最上部に設けられており、各発光素子３２１のカソード電極が接続される。グランドコンタクト部３０２ａは、上記背面電極３０２ｂと表面の画素回路用陰極配線３２３とを接続するためのものである。
【００１９】
一方、発光素子３２１の上側には、上記保持トランジスタＴＦＴ１が１ラインに配列した保持回路ラインとして配置されている。そして、このような保持トランジスタＴＦＴ１の上側には、データ線３１２が発光素子３２１つまり保持トランジスタＴＦＴ１に沿って設けられ、その上側にはデータ線３１２と同様に発光素子３２１に沿った状態にスタートパルス信号線３０４及びクロック信号線３０５が設けられている。なお、データ線３１２の本数は、１つのブロックを構成する発光素子３２１の個数、つまり１２８本である。
【００２０】
選択回路用電源配線３０１と選択回路用グランド配線３０２との間には、上記シフトレジスタ３０３（選択回路３０）が発光素子３２１の配列方向に沿って設けられている。また、当該シフトレジスタ３０３の各段出力と保持トランジスタＴＦＴ１のゲート端子との間には、データ線３１２を跨ぐように、つまりデータ線３１２とは異なる層にゲート線３０６（図示略）が設けられている。
【００２１】
また、上述したようにデータ線３１２の途中に設けられた保護抵抗３１０と入力バッファ３１１との間にはＥＳＤ保護素子６０が、またデータ線３１２の先端部にはＥＳＤ保護素子６１がそれぞれ設けられるものなので、ＥＳＤ保護素子６０は、左右方向に敷線されたデータ線３１２の途中部位、つまり図示するように基板の左側で発光素子３２１に差し掛かる前の位置に各々配置され、一方、ＥＳＤ保護素子６１は、データ線３１２の先端に設けられるものなので、基板の右側に配置されている。
【００２２】
なお、図示していないが、データ線３１２と保持トランジスタＴＦＴ１との間には、上述した引き出し線３１３が設けられている。この引き出し線３１３は、データ線３１２と保持トランジスタＴＦＴ１とを最短距離で結ぶように、つまり上下方向にデータ線３１２とは異なる層に敷線されている。また、保持トランジスタＴＦＴ１と駆動トランジスタＴＦＴ２とは、発光素子３２１を挟んで上下に設けられており、したがって保持トランジスタＴＦＴ１のドレイン端子と駆動トランジスタＴＦＴ２のゲート端子とは、発光素子３２１を跨ぐように配線された接続配線（図示略）によって相互接続されている。
【００２３】
このような本ラインヘッド１の特徴的な点は、選択回路３０、データ線部３１、画素回路３２の順に基板上に配置したこと、すなわち選択回路３０と画素回路３２との間にデータ線部３１を配置したことにある。このような構成を採用することによって、データ線３１２は、選択回路３０からのゲート線３０６と交差するのみであって、選択回路用電源配線３０１及び選択回路用グランド配線３０２とは交差しないので、データ線３１２の寄生容量を最小限に抑えることができる。そして、このようにデータ線３１２の寄生容量を抑えることにより、データ信号の波形なまりを軽減することができるので、本ラインヘッド１を高速動作させることが可能となる。
【００２４】
また、本ラインヘッド１では、画素回路３２の片側にデータ線部３１と選択回路３０とを配置したので、データ信号と選択信号とを効率良く配線して画素回路に供給することができる。仮に、データ線部３１を画素回路３２に対して選択回路３０の反対側に配置した場合には、画素回路３２に対してデータ信号と選択信号とを異なる方向から供給することになるので、効率良い配線を実現することができない。
【００２５】
次に、本実施形態に係る画像形成装置、つまり上述したラインヘッド１を４つのラインヘッド１１Ｋ、１１Ｃ、１１Ｍ、１１Ｙとして用いた画像形成装置について説明する。
【００２６】
最初に、図３に示すブロック図を参照して、本画像形成装置の画像データの処理に関する機能構成を説明する。本画像形成装置の全体動作を制御する全体制御部には、ＣＰＵ、画像処理回路等で構成されるデータ処理ブ９と、元画像データ等を記憶する記憶部１０が設けられている。また、本画像形成装置は白黒画像に加えてカラー画像をも形成するものであり、画像を形成する際の原色である「黒」、「シアン」、「マゼンタ」、「イエロー」に対応する４つのラインヘッド１１Ｋ、１１Ｃ、１１Ｍ、１１Ｙが設けられている。
【００２７】
ここで、上記ラインヘッド１１Ｋ、１１Ｃ、１１Ｍ、１１Ｙの符号の末尾に付されたアルファベットＫ、Ｃ、Ｍ、Ｙは、それぞれ画像を形成する際の原色である黒、シアン、マゼンタ、イエローを意味している。このようなアルファベットＫ、Ｃ、Ｍ、Ｙの付記は、以下に説明する他の部材についても同様である。
【００２８】
データ処理部９は、外部のホストコンピュータから画像形成装置に送信されて記憶部１０に記憶されている元画像データ（ビットマップデータ）を読み出して、スクリーン処理、色変換処理、データ変換処理、データ転送処理を行うものである。スクリーン処理は、画像形成装置のプロセス条件とのマッチングを取り、階調再現性を確保することを目的として行われるものであり、万線パタ−ン、誤差拡散パターン、網点パターン等を組み合わせた処理である。
【００２９】
色変換処理は、スクリーン処理された画像データを各ラインヘッド１１Ｋ、１１Ｃ、１１Ｍ、１１Ｙに対応した色に分解したデータに変換するものである。データ変換処理は、色変換処理された画像データを各ラインヘッド１１Ｋ、１１Ｃ、１１Ｍ、１１Ｙへの送信用データ信号に変換する処理である。データ転送処理は、上記送信用データを各ラインヘッド１１Ｋ、１１Ｃ、１１Ｍ、１１Ｙに転送する処理である。
【００３０】
図４は、本実施形態に係る画像形成装置の機構構成を示す縦断側面図である。この画像形成装置は、同様な構成の４個のラインヘッド１１Ｋ、１１Ｃ、１１Ｍ、１１Ｙを、対応する同様な構成である４個の感光体ドラム１２Ｋ、１２Ｃ、１２Ｍ、１２Ｙの露光位置にそれぞれ配置したものであり、タンデム方式の画像形成装置として構成されている。
【００３１】
この画像形成装置は、駆動ローラ１３と従動ローラ１４とテンションローラ１５が設けられており、テンションローラ１５によりテンションを加えて張架されて、図示矢印方向（反時計方向）へ循環駆動される中間転写ベルト１６を備えている。この中間転写ベルト１６に対して所定間隔で配置された４個の像担持体としての外周面に感光層を有する感光体１２Ｋ、１２Ｃ、１２Ｍ、１２Ｙが配置される。
【００３２】
感光体ドラム１２Ｋ、１２Ｃ、１２Ｍ、１２Ｙは、中間転写ベルト１６の駆動と同期して図示矢印方向（時計方向）へ回転駆動される。また、各感光体ドラム１２Ｋ、１２Ｃ、１２Ｍ、１２Ｙの周囲には、各感光体ドラム１２Ｋ、１２Ｃ、１２Ｍ、１２Ｙの外周面を一様に帯電させるコロナ帯電器１７Ｋ、１７Ｃ、１７Ｍ、１７Ｙと、このコロナ帯電器１７Ｋ、１７Ｃ、１７Ｍ、１７Ｙによって一様に帯電させられた各感光体ドラム１２Ｋ、１２Ｃ、１２Ｍ、１２Ｙの外周面を当該各感光体ドラム１２Ｋ、１２Ｃ、１２Ｍ、１２Ｙの回転に同期して順次ライン走査するラインヘッド１１Ｋ、１１Ｃ、１１Ｍ、１１Ｙが設けられている。
【００３３】
さらに、各感光体ドラム１２Ｋ、１２Ｃ、１２Ｍ、１２Ｙの周囲には、上記ラインヘッド１１Ｋ、１１Ｃ、１１Ｍ、１１Ｙで形成された静電潜像に現像剤であるトナーを付与してトナー像とする現像装置１８Ｋ、１８Ｃ、１８Ｍ、１８Ｙと、この現像装置１８Ｋ、１８Ｃ、１８Ｍ、１８Ｙによって現像されたトナー像を一次転写対象である中間転写ベルト１６に順次転写する転写手段としての一次転写ローラ１９Ｋ、１９Ｃ、１９Ｍ、１９Ｙと、転写された後に各感光体ドラム１２Ｋ、１２Ｃ、１２Ｍ、１２Ｙの表面に残留しているトナーを除去するクリーニング装置２０Ｋ、２０Ｃ、２０Ｍ、２０Ｙとが設けられている。
【００３４】
ここで、各ラインヘッド１１Ｋ、１１Ｃ、１１Ｍ、１１Ｙは、上述した有機ＥＬ発光素子の配列方向が各感光体ドラム１２Ｋ、１２Ｃ、１２Ｍ、１２Ｙの母線に並行となるように固定されている。また、各ラインヘッド１１Ｋ、１１Ｃ、１１Ｍ、１１Ｙの発光エネルギーのピーク波長と各感光体ドラム１２Ｋ、１２Ｃ、１２Ｍ、１２Ｙの感度ピーク波長とは、略一致するように設定されている。
【００３５】
現像装置１８Ｋ、１８Ｃ、１８Ｍ、１８Ｙは、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを各感光体ドラム１２Ｋ、１２Ｃ、１２Ｍ、１２Ｙに接触あるいは押厚させることにより、各感光体ドラム１２Ｋ、１２Ｃ、１２Ｍ、１２Ｙの電位レベルに応じて現像剤を付着させることによりトナー像として現像するものである。
【００３６】
このような４色の単色トナー像形成ステーションにより形成された黒、シアン、マゼンタ、イエローの各トナー像は、一次転写ローラ１９Ｋ、１９Ｃ、１９Ｍ、１９Ｙに印加される一次転写バイアスにより中間転写ベルト１６上に順次一次転写され、中間転写ベルト１６上で順次重ね合わされてフルカラーとなったトナー像は、二次転写ローラ２１において用紙等の記録媒体Ｐに二次転写され、定着部である定着ローラ対２２を通ることで記録媒体Ｐ上に定着され、排紙ローラ対２３によって、装置上部に形成された排紙トレイ２４上へ排出される。なお、二次転写ローラ２１は、中間転写ベルト１６との間で二次転写部を形成するものである。
【００３７】
なお、この機構構成において、符号２５は多数枚の記録媒体Ｐが積層保持されている給紙カセット、２６は給紙カセット２５から記録媒体Ｐを一枚ずつ給送するピックアップローラ、２７は二次転写ローラ２１の二次転写部への記録媒体Ｐの供給タイミングを規定するゲートローラ対、２８は二次転写後に中間転写ベルト１６の表面に残留しているトナーを除去するクリーニングブレードである。
【００３８】
本発明によるラインヘッド１を適用した、図３に示す画像形成装置７０は、タンデム方式のカラープリンタや、４サイクルカラープリンタに適用可能である。これらのカラープリンタにおいては、本発明の構成とすることにより、ラインヘッドにおけるデータ線の寄生容量を最小限に抑えることができるので、高速動作させることが可能となる。
【００３９】
次に、上述したラインヘッド１の画素回路３２のレイアウト構成についてさらに補足説明する。当該図５は、ラインヘッド１の画素回路３２に該当する部位の縦断面である。この図において、符号３２４は半導体層、３２５はゲート絶縁膜、３２６はゲートメタル配線、３２７はソースメタル配線、３２８Ａ，３２８Ｂは層間絶縁膜、３２９は透明電極、また符号３３０は封止基板である。
【００４０】
ガラス基板上には、半導体層３２４、ゲートメタル配線３２６及びソースメタル配線３２７によって保持トランジスタＴＦＴ１、駆動トランジスタＴＦＴ２及び発光素子（有機ＥＬ発光層）３２１が形成されている。保持トランジスタＴＦＴ１及び駆動トランジスタＴＦＴ２は、図示するように半導体層３２４及びゲート絶縁膜３２５から形成されている。発光素子３２１は、背面電極３０２ｂと透明電極３２９とによって上下方向に挟まれた状態で設けられており、保持トランジスタＴＦＴ１と駆動トランジスタＴＦＴ２との間に配置されている。
【００４１】
透明電極３２９は、ソースメタル配線３２７を介して駆動トランジスタＴＦＴ２の例えばドレイン端に接続され、背面電極３０２ｂは、同じくソースメタル配線３２７を介してゲートメタル配線３２６からなる画素回路用陰極配線３２３に接続されている。また、駆動トランジスタＴＦＴ２のソース端は、ソースメタル配線３２７を介してゲートメタル配線３２６からなる画素回路用陽極配線３２２に接続されている。画素回路用陽極配線３２２及び画素回路用陰極配線３２３は、図示するように、駆動トランジスタＴＦＴ２に対して発光素子３２１とは反対側に配置されている。
【００４２】
さらに、駆動トランジスタＴＦＴ２を構成するゲート絶縁膜３２５上にはゲート端を構成するゲートメタル配線３２６が設けられており、このような駆動トランジスタＴＦＴ２のゲート端は、ゲートメタル配線３２６を介して保持トランジスタＴＦＴ１の例えばドレイン端に接続されている。保持トランジスタＴＦＴ１のソース端は、ソースメタル配線３２７を介してゲートメタル配線３２６からなる引き出し線３１３に接続されている。また、保持トランジスタＴＦＴ１を構成するゲート絶縁膜３２５上にはゲート端を構成するゲートメタル配線３２６が設けられており、この保持トランジスタＴＦＴ１のゲート端は、ゲートメタル配線３２６からなるゲート線３０６に接続されている。
【００４３】
なお、上述したラインヘッド１では、発光素子３２１を駆動トランジスタＴＦＴ２のドレイン端と画素回路用陰極配線３２３との間に設けたが、発光素子３２１の設け方についてはこれに限定されない。例えば、発光素子３２１のアノード端子を駆動トランジスタＴＦＴ２のソース端に、またハソード端子を画素回路用陰極配線３２３にそれぞれ接続することにより、発光素子３２１を駆動トランジスタＴＦＴ２のソース端と画素回路用陰極配線３２３との間に設けるようにしても良い。
【図面の簡単な説明】
【００４４】
【図１】本発明の実施形態によるラインヘッドの略回路構成を示す回路図である。
【図２】本実施形態によるラインヘッドの回路レイアウトを示す模式図である。
【図３】本発明の一実施形態に係わる画像形成装置の画像データの処理に関するブロック図である。
【図４】本発明の一実施形態に係わる画像形成装置の機構構成を示す断面図である。
【図５】本発明の実施形態によるラインヘッドにおける発光素子近傍の縦断面である。
【符号の説明】
【００４５】
１  ラインヘッド、３０  選択回路、３１  データ線部、３２  画素回路、３０１  選択回路用電源配線、３０２  選択回路用グランド配線、３０２ｂ  背面電極、３０３  シフトレジスタ、３０４  スタートパルス信号線、３０５  クロック信号線、３０６  ゲート線、３１０  保護抵抗、３１１  入力バッファ、３１２  データ線、３１３  引き出し線、３２１  発光素子、３２２  画素回路用陽極配線、３２３  画素回路用陰極配線
【図１】
2006123493.tif 000003
【図２】
2006123493.tif 000004
【図３】
2006123493.tif 000005
【図４】
2006123493.tif 000006
【図５】
2006123493.tif 000007